(57)【要約】【課題】被認証者による１回の操作が複数の個人認証条件に対応付けられ、操作性を複雑とすることなく認証精度を向上させる。【解決手段】本発明の個人認証システムは、認証情報を記憶している非接触通信タグを有する、輪郭の少なくとも一部が所定形状を有する輪郭キー物体と、輪郭キー物体の輪郭の所定形状の部分を嵌合し得る物体受け部と、物体受け部に嵌合された輪郭キー物体の認証情報を読み取る非接触通信手段と、非接触通信手段が得た輪郭キー物体の認証情報に基づいて認証を行う認証手段とを有する。【選択図】　　　図１
2004139375.tif 000002
【特許請求の範囲】
【請求項１】
認証情報を記憶している非接触通信タグを有する、輪郭の少なくとも一部が所定形状を有する輪郭キー物体と、
上記輪郭キー物体の輪郭の上記所定形状の部分を嵌合し得る物体受け部と、
上記物体受け部に嵌合された上記輪郭キー物体の認証情報を読み取る非接触通信手段と、
上記非接触通信手段が得た上記輪郭キー物体の認証情報に基づいて認証を行う認証手段と
を有することを特徴とする個人認証システム。
【請求項２】
上記物体受け部に上記輪郭キー物体が嵌合されたことを検出する嵌合検出手段を有し、当該嵌合検出手段により嵌合が検出されたときに、上記非接触通信手段が読取り動作を起動することを特徴とする請求項１に記載の個人認証システム。
【請求項３】
上記輪郭キー物体の上記非接触通信タグのアンテナ部は、上記輪郭キー物体の形状重心を含まない位置に設けられており、上記非接触通信手段は、上記物体受け部に上記輪郭キー物体が嵌合された場合における上記アンテナ部位置近傍を読取り領域としていることを特徴とする請求項１又は２に記載の個人認証システム。
【請求項４】
認証情報を記憶している非接触通信タグを有する、輪郭の少なくとも一部が所定形状を有する輪郭キー物体の上記所定形状の部分を嵌合し得る物体受け部と、
上記物体受け部に嵌合された上記輪郭キー物体の認証情報を読み取る非接触通信手段と、
上記非接触通信手段が得た上記輪郭キー物体の認証情報に基づいて認証を行う認証手段と
を有することを特徴とする個人認証装置。
【請求項５】
上記物体受け部に上記輪郭キー物体が嵌合されたことを検出する嵌合検出手段を有し、当該嵌合検出手段により嵌合が検出されたときに、上記非接触通信手段が読取り動作を起動することを特徴とする請求項４に記載の個人認証装置。
【請求項６】
上記輪郭キー物体は、その上記非接触通信タグのアンテナ部が当該輪郭キー物体の形状重心を含まない位置に設けられているものであり、
上記非接触通信手段は、上記物体受け部に上記輪郭キー物体が嵌合された場合における上記アンテナ部位置近傍を読取り領域としていることを特徴とする請求項４又は５に記載の個人認証装置。
【発明の詳細な説明】
【０００１】
【発明の属する技術分野】
本発明は個人認証システム及び個人認証装置に関し、例えば、入退室管理システムやコンピュータなどの個人認証に適用し得るものである。
【０００２】
【従来の技術】
今日、入退室管理システムやコンピュータなど、個人を認証して入退室を許可したり、使用を許可したりするシステムや装置が多数存在する。
【０００３】
個人を認証する方法としては、パスワードなどをキー入力させて認証する方法、磁気カードやＩＣカードや携帯端末などから情報を読み取って認証する方法、指紋、声紋などの個体特徴を読み取って認証する方法などがあり、セキュリティの度合いなどに応じ、適宜の方法が単独又は組み合わされて採用されている。
【０００４】
非接触ＩＣカードの低廉化により、今日、非接触ＩＣカードを利用する個人認証システムも多い。
【０００５】
【発明が解決しようとする課題】
異なる個人認証方法を組み合わせることはセキュリティが高くなり好ましいことである。
【０００６】
しかしながら、パスワードを入力する個人認証方法とＩＣカードから情報を読み取る個人認証方法のような場合、被認証者は、パスワードを入力する操作と、ＩＣカードを該当個所にかざす操作とを行わなければならず、操作性が悪いということができる。
【０００７】
組み合わせる１個の個人認証方法として、携帯端末から近距離無線通信によって情報を自動的に読み取る個人認証方法を適用した場合には、他の個人認証方法についての操作だけで済む。しかしながら、近距離無線通信対応の携帯端末はまだまだ高く、被認証者全員にそのような携帯端末を支給することは難しい。
【０００８】
そのため、１回の操作が、複数の個人認証条件に対応付けられている個人認証システムや個人認証装置が求められている。
【０００９】
【課題を解決するための手段】
本発明の個人認証システムは、（１）認証情報を記憶している非接触通信タグを有する、輪郭の少なくとも一部が所定形状を有する輪郭キー物体と、（２）上記輪郭キー物体の輪郭の上記所定形状の部分を嵌合し得る物体受け部と、（３）上記物体受け部に嵌合された上記輪郭キー物体の認証情報を読み取る非接触通信手段と、（４）上記非接触通信手段が得た上記輪郭キー物体の認証情報に基づいて認証を行う認証手段とを有することを特徴とする。
【００１０】
ここで、上記物体受け部に上記輪郭キー物体が嵌合されたことを検出する嵌合検出手段を有し、当該嵌合検出手段が検出したときに、上記非接触通信手段が読取り動作を起動することが好ましい。
【００１１】
また、上記輪郭キー物体の上記非接触通信タグのアンテナ部は、上記輪郭キー物体の形状重心を含まない位置に設けられており、上記非接触通信手段が、上記物体受け部に上記輪郭キー物体が嵌合された場合における上記アンテナ部位置近傍を読取り領域としていることが好ましい。
【００１２】
本発明の個人認証装置は、（１）認証情報を記憶している非接触通信タグを有する、輪郭の少なくとも一部が所定形状を有する輪郭キー物体の上記所定形状の部分を嵌合し得る物体受け部と、（２）上記物体受け部に嵌合された上記輪郭キー物体の認証情報を読み取る非接触通信手段と、（３）上記非接触通信手段が得た上記輪郭キー物体の認証情報に基づいて認証を行う認証手段とを有することを特徴とする。
【００１３】
ここで、上記物体受け部に上記輪郭キー物体が嵌合されたことを検出する嵌合検出手段を有し、当該嵌合検出手段により嵌合が検出されたときに、上記非接触通信手段が読取り動作を起動することが好ましい。
【００１４】
また、上記輪郭キー物体は、その上記非接触通信タグのアンテナ部が当該輪郭キー物体の形状重心を含まない位置に設けられているものであり、上記非接触通信手段は、上記物体受け部に上記輪郭キー物体が嵌合された場合における上記アンテナ部位置近傍を読取り領域としていることが好ましい。
【００１５】
【発明の実施の形態】
（Ａ）実施形態
以下、本発明による個人認証システム及び個人認証装置の一実施形態を図面を参照しながら説明する。
【００１６】
図１は、この実施形態の認証用所持物体の例を示す平面図である。また、図２は、この実施形態の認証用所持物体が嵌合される物体受け凹部を示す正面図である。
【００１７】
認証用所持物体１は、正規の被認証者全員に支給されているものである。認証用所持物体１は、例えば、輪郭が任意の凹凸形状（図１のものは人間形状）の平板状部材でなっており、その内部に、ＩＣタグなどでなる非接触通信タグ１Ａが設けられている。非接触通信タグ１Ａのアンテナ部（図１の破線が概ねアンテナ部になっている）は、認証用所持物体１の形状重心（認証用所持物体１の厚みを考慮しない外形形状についての重心）Ｇから離れた位置に設けられている。
【００１８】
非接触通信タグ１Ａには、例えば、読取り専用のものであって（勿論、読取り、書込みの双方が可能なものでも良い）、認証情報が記憶されている。認証情報は、正規の被認証者の各人で異なるものであっても良く、正規の被認証者全員に同一のものであっても良い。また、非接触通信タグ１Ａは、電磁波を通信媒体とするものであっても良く、磁束を通信媒体とするものであっても良い。
【００１９】
物体受け凹部２は、例えば、壁面や装置筐体などに設けられたものであり、認証用所持物体１が嵌合されるものである。物体受け凹部２は、認証用所持物体１が嵌合される形状部分２Ａと、嵌合された認証用所持物体１を取り出すために指などを受け入れる形状部分２Ｂとを有する。後者の形状部分２Ｂは、前者の形状部分２Ａと同一深さであっても良く、また、前者の形状部分２Ａより深くなっていても良い。また、後者の形状部分２Ｂは、認証用所持物体１が首掛け用の紐を有する場合には、その紐を通過させる部分ともなる。
【００２０】
物体受け凹部２の中央部には、後述する嵌合検出部３（図３参照）の構成要素である嵌合検出ピン３Ａが設けられている。嵌合検出ピン３Ａは、図示しないバネの弾発力などにより常時は突出しており、物体受け凹部２に認証用所持物体１が嵌合され、弾発力に抗して嵌合検出ピン３Ａが押下されたときに、嵌合検出部本体３Ｂが嵌合を検出するようになされている。
【００２１】
図３は、この実施形態の個人認証システムの電気的処理構成を示すブロック図である。
【００２２】
この実施形態の個人認証システムは、電気的処理構成として、嵌合検出部３、非接触通信部４、認証部５、認証情報データベース６、認証被制御部７及び報知部８を有する。
【００２３】
嵌合検出部３は、上述のように、嵌合検出ピン３Ａ及び嵌合検出部本体３Ｂでなり、物体受け凹部２に認証用所持物体１が嵌合されたことを検出するものである。嵌合検出部３は、嵌合検出信号を非接触通信部４に与える。
【００２４】
非接触通信部４は、認証用所持物体１の非接触通信タグ１Ａに記憶されている認証情報を読み取るものである。非接触通信部４は、嵌合検出部３から嵌合検出信号が与えられているときだけ読取り動作を行うものである。非接触通信部４は、物体受け凹部２に認証用所持物体１が嵌合された際に、その認証用所持物体１の非接触通信タグ１Ａのアンテナ部が位置する領域及びその近傍を読取り領域としているものである。非接触通信部４は、読み取った認証情報を認証部５に与える。
【００２５】
認証情報データベース６は、正規の被認証者の各人に支給したそれぞれの認証用所持物体１に記憶されている認証情報の一覧を記憶している。
【００２６】
認証部５は、非接触通信部４から与えられた認証情報を、認証情報データベース６に格納されている情報と照合して、是認又は否認という認証結果を得るものである。認証部５は、是認の認証結果を、認証被制御部７及び報知部８に与える。また、認証部５は、否認の認証結果を報知部８に与える。
【００２７】
なお、正規の被認証者全員の認証用所持物体１に同じ認証情報が記憶されているときには、認証情報データベース６は省略され、認証部５内に、その認証情報が記憶されて認証処理が実行される。
【００２８】
また、認証方法は、上述のように、非接触通信部４から与えられた認証情報と認証部５に関連して記憶されている認証情報との照合による方法に限定されず、例えば、非接触通信部４から与えられた認証情報の各ビットの総和が該当する値か否かのように、読み取った認証情報を処理した情報に基づいた認証方法であっても良い。この場合も、認証情報データベース６は省略される。
【００２９】
認証被制御部７は、認証部５から是認の認証結果が与えられたときに、所定の制御がなされるものである。例えば、当該個人認証システムが入退室管理システムに適用されている場合には、開閉扉を解錠制御したり、開閉扉を自動開放制御したりする構成が該当する。また例えば、当該個人認証システムがコンピュータに適用されている場合には、個人認証を条件としたアプリケーションの起動部が該当する。
【００３０】
報知部８は、認証部５から与えられた是認又は否認の認証結果を報知するものである。報知部８は、表示ランプやディスプレイなどの視覚的報知を行うものであっても良く、音響ブザーや音声合成装置などの聴覚的報知を行うものであっても良い。また、上位の管理コンピュータなどに異常を通知するようなものも、ここでの報知部８に含まれる。
【００３１】
次に、以上の構成要素でなる実施形態の個人認証システムの動作を、被認証者の動作と共に説明する。
【００３２】
認証を受けようとする被認証者は、自己が所持する認証用所持物体１を物体受け凹部２に嵌合させる。これにより、嵌合検出ピン３Ａが押下され、嵌合検出部本体３Ｂから嵌合検出信号が非接触通信部４に与えられ、非接触通信部４が、嵌合された認証用所持物体１の非接触通信タグ１Ａから認証情報を読み取る。
【００３３】
読み取られた認証情報は認証部５に与えられ、認証部５は、その認証情報が認証情報データベース６に登録されているものであることを確認し、是認の認証結果を認証被制御部７及び報知部８に与える。これにより、認証被制御部７は、認証成功時の動作を行い、報知部８は認証成功を報知する。
【００３４】
以上は、認証が正しく実行される場合の動作の流れであるが、以下のような場合には、認証は失敗する。
【００３５】
認証用所持物体１が正規のものではなく、その外形形状が、図１に示す正規の外形形状と異なる場合には、物体受け凹部２に嵌合させることができない。そのため、嵌合検出ピン３Ａが押下されず、認証部５による認証処理自体が実行されない。
【００３６】
仮に、被認証者が指で嵌合検出ピン３Ａを押下した場合には、非接触通信部４が認証用所持物体１（の非接触通信タグ１Ａ）から認証情報を読み取ろうとするが、認証用所持物体１が嵌合されていないため、認証情報を読み取ることができず、この場合にも、認証は失敗する。なお、非接触通信部４が認証情報を読み取ろうとして読み取れない場合には、その旨を認証部５に通知し、認証部５が直ちに報知部８を起動して認証失敗を通知させるようにしても良い。
【００３７】
また、外形形状は図１に示す正規の外形形状を有するが、そのアンテナ部の位置が図１に示す正規の位置ではない認証用所持物体１が物体受け凹部２に嵌合された場合には、嵌合検出ピン３Ａが押下され、非接触通信部４は認証用所持物体１（の非接触通信タグ１Ａ）から認証情報を読み取ろうとする。
【００３８】
しかし、アンテナ部の位置が正規の位置ではないため、認証情報を読み取ることができず、この場合にも、認証は失敗する。
【００３９】
さらに、外形形状は図１に示す正規の外形形状を有し、アンテナ部位置も図１に示す正規の位置を有し、記憶している認証情報が正規のものでない認証用所持物体１が物体受け凹部２に嵌合された場合には、嵌合検出ピン３Ａが押下され、非接触通信部４は認証用所持物体１（の非接触通信タグ１Ａ）から認証情報を読み取ろうとする。この場合には、非接触通信部４は、認証用所持物体１から認証情報を読み取って認証部５に与える。
【００４０】
しかし、読み取られた認証情報が正規の情報でないため、認証情報データベース６に登録されておらず、認証部５は認証失敗とする。
【００４１】
以上のように、上記実施形態の個人認証システムによれば、認証情報が正しいものであるという条件に加え、認証用所持物体１の外形形状が正規の外形形状を有することという条件や、認証用所持物体１のアンテナ部位置が正規の位置にあることという条件も認証条件としているので、認証用所持物体１を物体受け凹部２に嵌合させるという１回の操作に複数の条件が対応し、認証精度を向上させるにつき、操作性は容易なものとなっている。
【００４２】
（Ｂ）他の実施形態
上記各実施形態の説明でも変形実施形態に言及したが、さらに、以下に例示するような変形実施形態も挙げることができる。
【００４３】
上記実施形態では、嵌合検出ピン３Ａを用いて、認証用所持物体１の物体受け凹部２との嵌合を検出するものを示したが、他の方法によって嵌合を検出しても良いことは勿論である。例えば、物体受け凹部２の底部全体が進退動し、底部の裏面側に設けられているリミットスイッチなどで嵌合を検出するようにしても良い。
【００４４】
また、嵌合検出を実行することなく、嵌合状態でのみ読取りを可能とするようにしても良い。例えば、物体受け凹部２の底部の材質選定や、物体受け凹部２の深さ選定や、非接触通信部４の通信パワーの選定などにより、非接触通信部４と認証用所持物体１との交信可能距離を短くし、認証用所持物体１が物体受け凹部２に嵌合している状態でのみ、これらの交信を可能とするようにしても良い。
【００４５】
上記実施形態では、認証用所持物体１の非接触通信タグ１Ａが読取り専用のものを示したが、書込みも実行できるものであっても良い。例えば、当該個人認証システムを入退室管理システムに適用した場合において、入室時刻や退室時刻などを非接触通信タグ１Ａに書込み、以降の認証にその情報をも利用するようにしても良い。
【００４６】
また、上記実施形態では、認証部５や認証情報データベース６が物体受け凹部２（認証要求場所）の近傍にあるものを示したが、認証部５や認証情報データベース６が物体受け凹部２（認証要求場所）から遠く離れていても良い。例えば、当該個人認証システムを入退室管理システムに適用した場合において、建物全体の全ての開閉扉を一括管理する管理コンピュータがある場合に、その管理コンピュータに、上記認証部５や認証情報データベース６の機能を持たせるようにしても良い。
【００４７】
さらに、認証用所持物体１の外形形状は任意であって良い。例えば、人物やアニメなどのキャラクタ形状や単純な幾何学形状（例えば矩形形状）などであっても良く、外形形状に凹凸が有することも必要要件ではない。
【００４８】
さらにまた、上記実施形態では、認証用所持物体１と物体受け凹部２とが１対１で対応するものを示したが、図４に示すように、１個の物体受け凹部２に複数の認証用所持物体１−１、１−２を同時に嵌合させることを要件とするようにしても良い。この場合、各認証用所持物体１−１、１−２がそれぞれ認証情報（同一でも異なっていても良い）を記憶していることが好ましい。ここで、認証用所持物体１−１の認証情報だけで認証を許可する所持者や、認証用所持物体１−１及び１−２の双方の認証情報によって認証を許可する所持者など、所持者によって、認証の段階を変更するようにしても良い。
【００４９】
また、１個の認証用所持物体１が異なる位置に、複数の非接触通信タグ１Ａを有するものであっても良く、それに応じた数の非接触通信部４を設けるようにしても良い。ここでも、１個の非接触通信タグ１Ａの認証情報だけで認証を許可する所持者や、２個以上の非接触通信タグ１Ａの認証情報によって認証を許可する所持者など、所持者によって、認証の段階を変更するようにしても良い。
【００５０】
さらに、上記実施形態では、物体受け部（物体受け凹部２）が凹部で認証用所持物体１が単なる平板状のもので嵌合し得るものを示したが、他の形状の組合せで嵌合可能なものであっても良い。すなわち、図５（Ａ）の断面図に示すように、物体受け部２（上記実施形態の物体受け凹部２に対応）が突出した外形形状を有し、認証用所持物体１（上記実施形態の認証用所持物体１に対応）が凹部１ａを有する平板状部材であり、認証用所持物体の凹部と、物体受け部の突出部とが嵌合するものであっても良い。また、図５（Ｂ）の断面図に示すように、上記実施形態の物体受け凹部２を適用すると共に、認証用所持物体１（上記実施形態の認証用所持物体１に対応）が物体受け凹部２に嵌合する凸部１ｂを有する平板状部材であっても良い。なお、本発明での嵌合は、側面での嵌合だけに限定されず、図５（Ｃ）の断面図に示すような立体的な凹凸の合致を含めた嵌合を含むものである。
【００５１】
上記実施形態の個人認証方法は、パスワード入力や指紋読取りなどの他の個人認証方法と組み合わせて適用しても良いことは勿論である。
【００５２】
本発明の個人認証システムの用途は限定されず、個人認証を必要とする各種のシステムや装置に適用することができる。ここで、個人認証とは、絶対的な個人を特定する用途に限定されず、何らかの処理（例えば入室）を許可する者か否かの漠然とした個人認証であっても良い。
【００５３】
【発明の効果】
以上のように、本発明の個人認証システム及び個人認証装置によれば、被認証者による１回の操作が複数の個人認証条件に対応付けられ、操作性を複雑とすることなく認証精度を向上させることができる。
【図面の簡単な説明】
【図１】実施形態の認証用所持物体の例を示す平面図である
【図２】実施形態の物体受け凹部を示す正面図である。
【図３】実施形態の個人認証システムの電気的処理構成を示すブロック図である。
【図４】他の実施形態の認証用所持物体と物体受け凹部との対応関係の説明図である。
【図５】さらに他の実施形態の認証用所持物体と物体受け部との対応関係の説明図である。
【符号の説明】
１…認証用所持物体、２…物体受け凹部、３…嵌合検出部、４…非接触通信部、５…認証部、６…認証情報データベース、７…認証被制御部、８…報知部。
【図１】
2004139375.tif 000003
【図２】
2004139375.tif 000004
【図３】
2004139375.tif 000005
【図４】
2004139375.tif 000006
【図５】
2004139375.tif 000007